【事件の表示】
　特願２０００−３１４８０２「空調システム」拒絶査定不服審判事件〔平成１４年　４月２６日出願公開、特開２００２−１２２３４３〕について、次のとおり審決する。
【結　論】
　本件審判の請求は、成り立たない。
【理　由】
１．手続の経緯
　本願は、平成１２年１０月１６日の出願であって、平成１６年６月８日付けで拒絶査定がなされ（平成１６年６月１５日発送）、これに対し、同年７月１５日に審判請求がなされたものである。
　　　
２．本願発明
　本願の請求項１に係る発明は、平成１６年４月２６日付けの手続補正により補正された明細書及び図面の記載からみて、その請求項１に記載された次の事項により特定されるものである（以下、「本願発明」という。）。
「空気調和ユニット（１）と床温調ユニット（２）とを備えると共に、上記空気調和ユニット（１）による空気調和運転と上記床温調ユニット（２）による床温調運転との連動運転が可能な空調システムであって、空気調和運転と床温調運転との連動運転を行うか否かを選択する選択手段（１７）を、上記床温調ユニット（２）のリモコン（１２）に設け、連動運転が選択されているときに、床温調ユニット（２）側のＯＮ操作で上記空気調和ユニット（１）の運転操作を可能としたことを特徴とする空調システム。」
　
３．引用例
　これに対し、原査定の拒絶の理由に引用された特開平１１−５１４４９号公報（以下、「引用例」という。）には、図面とともに以下の事項が記載されている。
イ．「【請求項１】同一熱源機から温水が供給される空調室内機と暖房床とを同一室内に備えた室内暖房装置において、空調室内機に内蔵された室温・床温制御用の制御回路により室外の熱源機を制御せしめると共に、床の温度を検出する床温センサに該検出信号を上記制御回路へ送るワイヤレス発信器を併設したことを特徴とする室内暖房装置。
【請求項２】同一熱源機から温水が供給される空調室内機と暖房床とを同一室内に備えた室内暖房装置において、空調室内機に内蔵された室温・床温制御用の制御回路により室外の熱源機を制御せしめると共に、該制御回路にワイヤレス信号を送るリモコン端末器の裏面に床温センサを設けたことを特徴とする室内暖房装置。」（特許請求の範囲【請求項１】、【請求項２】）
ロ．「本発明は、床暖房を含む室内暖房装置の温度制御に関するものである。」（段落【０００１】）
ハ．「【発明が解決しようとする課題】上述のように電線入り樹脂管を使用して床暖房の制御を行う方式は、途中Ｌ字管を用いて配管を直角に曲げる必要がある場合等には、配管を切断した箇所で信号線の結線を行う必要があって、配管工事が面倒になるという問題があり、また同一室内で空調と床暖房とを行う場合に、室内から室外の熱源機までの制御用通信線を空調及び床暖房にそれぞれ独立に設けるのは不経済であるという問題があった。本発明はこれらの問題点に鑑み、空調及び床暖房の信号線を共通にすることによって、これらの制御装置を簡略化し、信号線を単一の回線で済ませることを目的とするものである。」（段落【０００３】）
ニ．「【発明の実施の形態】図１〜２は本発明による室内暖房装置の一実施例を示したもので、同一室内に設けられている空調室内機２と暖房床３には、室外の同一熱源機１から温水が供給されるようになっており、通常室内の上部に吊設される空調室内機２に室温及び床温を制御するための制御回路４が内蔵されている。制御回路４には通常空調室内機２の空気吸込口に設けられている室温センサ（図示せず）と床面に置かれる床温センサ５から検出信号が送られるようになっており、制御回路４においてこの検出信号と設定温度とを比較した結果に基づいて、熱源機１へ制御信号が送られ、それによって空調室内機２及び暖房床３へ送られる温水がオンオフ制御される。本実施例では、図２に示すように、制御回路４に赤外線信号を送るワイヤレス発信器６を内蔵した室温・床温制御用リモコン端末器７の裏面に床温センサ５が設けられており、この端末器６（「７」の誤記と思われる。）によって室温及び床温の設定のみならず、それぞれの運転の開始及び停止、空調室内機２の運転切換え、風量、風向き、タイマの設定等の操作ができるようになっている。なお図１において、８は空調用温水配管、９は床暖房用温水配管、１０は空調用冷媒配管、１１は冷房用室外機、１２は熱源機あるいは冷房用室外機を制御するための信号線である。」（段落【０００５】）
ホ．「図２はリモコン端末器７の構造例を示したもので、安定性のよい三角柱形本体の頂部にワイヤレス発信器６及び室温センサ１３が設けられ、底面に床温センサ５及び電池ケースが設けられている。液晶表示部１４には、同図（ｂ）に示すように、室内温度及び床温度等が表示されており、同図（ｃ）に示すように、操作部１５の扉１６を開いて各種スイッチで室温あるいは床温を設定できるようになっている。なお図３は制御回路４の動作の一例を示すフローチャートである。」（段落【０００６】）
へ．「・・・、本方式によれば床表面の温度が正確に検知できる上に、通常リモコン端末器７は手元に置くので、家人が座る場所の付近の床温度を検知でき、きわめて合理的である等の利点がある。」（段落【０００７】）
　そして、「ニ」の「
室温及び床温の設定のみならず、それぞれの運転の開始及び停止
の操作ができる
　以上、イ〜ヘの記載及び図面からみて、引用例には、
　空調室内機と暖房床とを備えると共に、上記空調室内機の運転と上記暖房床の運転が可能な室内暖房装置であって、床に置くリモコン端末器の操作で、空調室内機の運転操作及び床暖房の操作を可能とした室内暖房装置（以下、「引用例発明」という。）が記載されている。
　また、本願の出願前に頒布された刊行物である実願昭５３−１５６８９６号（実開昭５５−７２０２５号）のマイクロフィルム（以下、「周知例１」という。）には、図面とともに以下の事項が記載されている。
・「（１）温風暖房機と床面暖房機とにより室内を暖房する暖房装置であって、前記温風暖房機及び床面暖房機に、それぞれこれら暖房機の運転制御を可能とした運転制御ボックスを設けて、これら両運転制御ボックスをプラグにより連結又は分離可能に成すと共に、前記温風暖房機の運転制御ボックスに内装する運転制御回路に前記床面暖房機の運転スイッチを設けて前記両運転制御ボックスを連結したとき、前記運転スイッチにより前記床面暖房機の運転を行なえるごとくしたことを特徴とする暖房装置。」（実用新案登録請求の範囲） 
・「しかして本考案は以上の問題を解決すべく考案したもので、目的とする所は温風暖房機と床面暖房機とを組合わせて用いることもでき、しかもこの組合わせ時温風暖房機を運転制御する操作部において床面暖房機の運転制御も行えるようにした暖房装置を提供する点にある。」（第２頁第１５〜２０行）
・「以上のごとく本考案によれば、運転制御ボックスを、プラグを外して分離することにより、これら運転制御ボックスにより温風暖房機と床面暖房機とを互いに別室で個別に用いることができるのであり、かつこれら運転制御ボックスをプラグにより結合することにより、両暖房機を同室にけて、両暖房機を内一方及び両方を運転して暖房を行なう場合停止はもとより、温風暖房機のみ又は床面暖房機のみの運転と両暖房機の併用運転とを一つの操作具で行なうことができるのであって、前記した各種の運転を、いずれもきわめて簡単な操作で行なうことができるのである。」（第２０頁第３〜１５行）  以上の記載及び図面からみて、周知例１には、温風暖房機と床面暖房機とを備えた暖房装置であって、温風暖房機又は床面暖房機のみの運転と両暖房機を組合わせた運転とを選択できる操作具を具備した暖房装置（以下、「周知技術１」という。）が記載されている。
　同じく、本願の出願前に頒布された刊行物である特開平９−１９６４４１号公報（以下、「周知例２」という。）には、図面とともに以下の事項が記載されている。
・「【請求項１】熱交換器と熱交換した空気を室内に供給する空気調和機と、前記室内に敷設された床暖房機とを備えた空気調和装置において、表示手段、切替キー及び設定キーを具備し、この設定キーの操作により予め設定された時刻に前記空気調和機或いは床暖房機を運転・停止するタイマー運転機能を有した制御手段を備え、この制御手段は、前記設定キーによる設定状態を前記表示手段にて表示すると共に、前記切替キーの操作により、前記空気調和機と床暖房機の併用、前記空気調和機単独、前記床暖房機単独及び取り消しと順次タイマー運転モードを切り替え、且つ、前記表示手段に各モードを表示することを特徴とする空気調和装置。【請求項２】制御手段は、空気調和機及び床暖房機の遠隔操作を行うリモコンを備え、表示手段、切替キー及び設定キーは前記リモコンに設けられていることを特徴とする請求項１記載の空気調和装置。」（【特許請求の範囲】【請求項１】、【請求項２】）・「次に、本発明に係るタイマー運転について説明する。室内機２のコントロール基板２２及びリモコン５のマイクロコンピュータは時計機能を備えており、室内機２のコントロール基板２２のマイクロコンピュータには、一日に１回又は２回の「入」（運転。ＯＮ）、「切」（停止。ＯＦＦ）を設定できるプログラムタイマー機能が設けられている。更に、このプログラムタイマー機能においては、空気調和機（エアコン）１及び床暖房機４１の双方を同時に入り切りするか、空気調和機１のみを入り切りするか、床暖房機４１のみを入り切りするかを選択することができる。」（段落【００４８】、【００４９】）   
　以上の記載及び図面からみて、周知例２には、空気調和器と床暖房機とを備えた空気調和装置において、空気調和器または床暖房機のみを入り切りするか、両方を同時に入りきりするかリモコンの切替キーにより選択できるタイマー運転機能を具備する空気調和装置（以下、「周知技術２」という。）が記載されている。  
  
４．対比
　本願発明と引用例発明とを対比すると、引用例発明の「空調室内機」は本願発明の「空気調和ユニット」に相当し、以下同様に「暖房床」は「床温調ユニット」に、「室内暖房装置」は「空調システム」に、「リモコン端末器」は「リモコン」に、それぞれ相当する。
　そして、引用例発明において、リモコン端末器からの操作により空調室内機運転、そして床暖房運転を行っていること（「３．ホ」及び「図３」参照。）からみて、引用例発明は、空調室内運転と床暖房運転との連動が可能な室内暖房装置であることが理解できる。
　したがって、両者は、空気調和ユニットと床温調ユニットとを備えると共に、上記空気調和ユニットによる空気調和運転と上記床温調ユニットによる床温調運転との連動運転が可能な空調システムであって、リモコンを設け、床温調ユニットのＯＮ操作と上記空気調和ユニットの運転操作を可能としたことを特徴とする空調システム
　の点で一致し、
　次のア〜ウの点で相違している。
相違点ア
　本願発明は、空気調和運転と床温調運転との連動運転を行うか否かを選択する選択手段をリモコンに具備しているのに対し、引用例発明は、該構成が明記されていない点。
　　
相違点イ
　本願発明は、リモコンを床温調ユニットに設けるものであるのに対し、引用例発明は、リモコンは、床に置くものである点。
相違点ウ
　本願発明は、床温調ユニット側のＯＮ操作で空気調和ユニットの運転操作を可能としているのに対し、引用例発明は、該構成についての記載がない点。
　　　　　　
５．当審の判断
　そこで、上記相違点について検討する。
　まず、相違点アについて検討する。
　空気調和運転と床温調運転との連動操作を行うか否かを選択する選択手段をリモコンに設けることは、当該技術分野においては、本願出願前、周知の技術である（周知技術１における「運転制御ボックス」の「操作具」、周知技術２における「リモコン」の「切替キー」参照。）
　そして、引用例発明のリモコンは、室温及び床温の、それぞれの運転の開始及び停止を操作できるものである。
　そうすると、引用例発明において、空気調和運転と床温調運転との連動運転を行うか否かを選択する選択手段をリモコンに設けるようにした点は、周知技術に基づいて、当業者であれば、容易に想到し得たことである。
　次に、相違点イについて検討する。
　引用例発明において、リモコンは、床温調ユニットの運転を操作するものであると同時に空気調和ユニットの運転を操作するものとなっている。
　すなわち、両ユニットの操作装置を兼用するものとなっている。
　しかし、引用例には、引用例発明の従来技術として、空調と床暖房と制御用通信線を、それぞれ独立に設けることが記載されている（「３．ハ」参照。）。
　このように、リモコンを兼用のものとするか、独立した別個のものとするかは、必要に応じて、当業者が適宜選択できる設計的事項である。
　そして、操作の容易性を勘案して、床側に設けることは、当業者が容易に考えることであり、このことは、引用例発明においても示唆されている（「３．ヘ」参照。）。
　そうすると、リモコンを床温調ユニットに設けた点は、当業者が容易に想到し得たことである。
　さらに、相違点ウについて検討する。
　引用例発明において、リモコンは、室温及び床温の、それぞれの運転の開始及び停止を操作可能であると同時に、タイマの設定操作ができるものである（「３．ニ」参照。）。
　引用例に、空気調和ユニットの運転を床温調ユニットの操作と関連させるとの記載はないが、空気調和ユニットの運転と床温調ユニットの運転とを同時に行えるようにすることは、本願出願前、周知の技術（周知例１、周知例２参照。）であるから、引用例発明において、床温調ユニット側のON操作で、空気調和ユニットの運転操作を可能とした点は、当業者であれば、周知技術に基づいて、容易に想到し得たことである。
　また、本願発明の奏する作用効果を全体としてみても、引用例発明及び周知技術から当業者が予測できる範囲のものである。
　　　
６．むすび
　以上のとおり、本願発明は、引用例発明及び周知技術に基づいて、当業者が容易に発明をすることができたものであるから、特許法第２９条第２項の規定により特許を受けることができない。
　そうすると、他の請求項に係る発明について検討するまでもなく、本願は、拒絶すべきものである。
　よって、結論のとおり審決する。